(57)【要約】【課題】    従来の光学フィルタモジュールは、光学フィルタユニットに光線を斜めに入射するよう構成されていて、入射光線の屈折角が波長により異なる為に、光学フィルタモジュールの製造時の調節作業が困難であった。【解決手段】光学フィルタモジュール１００を構成する光学フィルタユニット３０は、異なる波長帯域の複数の光線１１が入射又は射出する第１平面３と、複数の波長帯域を含む一つの光線１２が入射又は射出する第２平面２と、異なる波長帯域の複数の光線１１を複数の波長帯域を含む一つの光線に合波し、又は複数の波長帯域を含む一つの光線１２を異なる波長帯域の複数の光線に分離するフィルタ部とを具え、異なる波長帯域の複数の光線１１は全て、同一の前記第１平面３上の異なる位置２４、２５、２６から第１平面３にほぼ垂直に入射または射出し、複数の波長帯域を含む一つの光線１２は、第２平面２から第２平面２にほぼ垂直に入射または射出する。【選択図】  図１
2005241998.tif 000002
【特許請求の範囲】
【請求項１】
異なる波長帯域の複数の光線が入射または射出する第１平面と、
複数の波長帯域を含む一つの光線が入射または射出する第２平面と、
前記異なる波長帯域の複数の光線を前記複数の波長帯域を含む一つの光線に合波し、または前記複数の波長帯域を含む一つの光線を異なる波長帯域の複数の光線に分離するフィルタ部とを具え、
前記異なる波長帯域の複数の光線は全て、同一の前記第１平面上の異なる位置から前記第１平面にほぼ垂直に入射または射出し、前記複数の波長帯域を含む一つの光線は、前記第２平面から前記第２平面にほぼ垂直に入射または射出していることを特徴とする光学フィルタユニット。
【請求項２】
請求項１に記載の光学フィルタユニットであって、
前記フィルタ部は、光学フィルタと、前記光学フィルタを一方の面に支持し、他方の面に反射面を有する基板と、前記光学フィルタの前記基板側とは反対側に前記第１平面と前記第２平面とを有する光学部材とを具えることを特徴とする光学フィルタユニット。
【請求項３】
請求項１または２に記載の光学フィルタユニットであって、
前記第１平面と前記第２平面とは共通の平面上にあることを特徴とする光学フィルタユニット。
【請求項４】
請求項３に記載の光学フィルタユニットであって、
前記光学フィルタは、前記基板の一つの面に配置された異なる分光特性の複数の光学フィルタ要素を有することを特徴とする光学フィルタユニット。
【請求項５】
請求項３または４に記載の光学フィルタユニットであって、
前記光学部材は、前記複数の波長帯域を含む一つの光線の方向を変更する第２反射面を更に具えることを特徴とする光学フィルタユニット。
【請求項６】
請求項１〜５何れか１項に記載の光学フィルタユニットと、
前記光学フィルタユニットから射出または前記光学フィルタユニットへ入射する前記異なる波長帯域の複数の光線を入射または射出する複数の第１光学系と、
前記光学フィルタユニットから射出または前記光学フィルタユニットへ入射する前記複数の波長帯域を含む一つの光線を入射または射出する一つの第２光学系とを具えたことを特徴とする光学フィルタモジュール。
【請求項７】
請求項６に記載の光学フィルタモジュールであって、
前記複数の第１光学系は、複数の第１光ファイバと前記複数の第１光ファイバの端面近傍に配置された複数の第１レンズとからなり、
前記一つの第２光学系は、一つの第２光ファイバと前記一つの第２光ファイバの端面近傍に配置された一つの第２レンズとからなり、
前記複数の第１レンズは、前記複数の第１光ファイバの端面を射出する異なる波長帯域の複数の光線を入射してそれぞれの光線を平行光束にし、または前記第１平面から射出する前記異なる波長帯域の複数の光線を入射してそれぞれの光線を前記複数の第１光ファイバの端面に集光し、
前記一つの第２レンズは、前記一つの第２光ファイバの端面を射出する複数の波長帯域を含む一つの光線を入射して光線を平行光束にし、または前記第２平面から射出する前記複数の波長帯域を含む一つの光線を入射して前記一つの第２光ファイバの端面に集光し、前記複数の第１レンズの光軸は前記第１平面にほぼ垂直に、且つ前記一つの第２レンズの光軸は前記第２平面にほぼ垂直に配置されていることを特徴とする光学フィルタモジュール。
【請求項８】
請求項７に記載の光学フィルタモジュールであって、
少なくとも前記複数の第１レンズは、同一部材で形成されたレンズアレイからなり、且つ前記複数の第１光ファイバを所定間隔で保持する結合部材を有することを特徴とする光学フィルタモジュール。
【請求項９】
請求項３〜５何れか１項に記載の光学フィルタユニットと、
前記光学フィルタユニットから射出または前記光学フィルタユニットへ入射する前記異なる波長帯域の複数の光線を入射または射出する複数の第１光ファイバと、
前記光学フィルタユニットから射出または前記光学フィルタユニットへ入射する前記複数の波長帯域を含む一つの光線を入射または射出する一つの第２光ファイバと、
前記複数の第１光ファイバ及び前記一つの第２光ファイバの端面近傍に前記異なる波長帯域の複数の光線または前記複数の波長帯域を含む一つの光線を集光するレンズ群を有することを特徴とする光学フィルタモジュール。
【請求項１０】
請求項９に記載の光学フィルタモジュールであって、
前記複数の第１光ファイバと、前記一つの第２光ファイバを所定位置で保持する結合部材を有することを特徴とする光学フィルタモジュール。
【発明の詳細な説明】
【技術分野】
【０００１】
本発明は、光学フィルタ機能を有する光学フィルタユニット、特に光通信用に多重光を有する合波光線を複数の分波光線に分離し、または、それとは逆に異なる波長帯域の複数の分波光線を一つの合波光線に合波する光学フィルタユニット及びこの光学フィルタユニットから構成される光学フィルタモジュールに関する。
【背景技術】
【０００２】
従来、光通信用に光を合波または分波する光学フィルタモジュールとして図４に示すようなものが知られている。
【０００３】
図４にて、このような光学フィルタモジュールは、合波光線用光ファイバを伝送して合波光線用コリメータレンズを経由して射出した複数の波長帯域を含む合波光線を光学フィルタユニットの入射出平面に斜めに入射し、光学多層膜に入射させることによって波長帯域毎に複数の光線に分波して分波光線を光学フィルタユニットから入射出平面に斜めに射出し、この分波光線を伝送するために分波光線用コリメータレンズを経由して分波光線用光ファイバに入射させる。または、それとは逆に分波光線用光ファイバを伝送して分波光線用コリメータレンズを経由して射出した分波光線を光学フィルタユニットの入射出平面に斜めに入射し、光学多層膜に入射させることによって合波した合波光線を光学フィルタユニットから入射出平面に斜めに射出し、この合波光線を伝送するためにコリメータレンズを経由して合波光線用光ファイバに入射させる。
【０００４】
また、このような光学フィルタモジュールに於いては、合波光線用光ファイバと、これのコリメータレンズと、分波光線用光ファイバと、これのコリメータレンズとは、例えば光ファイバユニットのような形で一体化されていた。
【０００５】
そしてこのような光学フィルタモジュールを製造するに当たって、構成要素である光学フィルタユニットと光ファイバユニットが作製された段階で、光学フィルタユニットと光ファイバユニットとの相互位置を調節する作業が必要であった。
【０００６】
この相互位置調節作業によって、合波光線用コリメータレンズを経由して合波光線用光ファイバから射出した合波光線が光学フィルタユニットの正確な位置に入射し、正確に分波されて光学フィルタユニットを射出し、射出した分波光線が分波光線用コリメータレンズの正確な位置に入射して分波光線用コリメータレンズを経由して分波光線用光ファイバに入射し、またはそれとは逆に、コリメータレンズを経由して分波光線用光ファイバから射出した分波光線が光学フィルタユニットの正確な位置に入射し、正確に合波されて光学フィルタユニットを射出し、射出した合波光線が正確に合波光線用コリメータレンズの正確な位置に入射して合波光線用光ファイバを経由して合波光線用光ファイバに入射することを可能にする。
【発明の開示】
【発明が解決しようとする課題】
【０００７】
このような従来の光学フィルタモジュールに於いては、光ファイバユニットを射出した合波光線と分波光線が光学フィルタユニットの入射出平面に斜めに入射する。また光学フィルタユニットを射出した合波光線と分波光線が光学フィルタユニットの入射出平面から斜めに射出する。入射出平面を有する部材には一般に屈折率分散がある。そうすると、合波光線と分波光線は、入射出平面に斜めに入射または射出するときに光波長に応じて異なる角度に屈折される。
【０００８】
例えば、図４に示されるような光学フィルタモジュールに於いて、複数の異なる波長の光を多重した合波光線が合波光線用コリメータレンズを射出して光学フィルタユニットの入射出平面に斜めに入射すると、屈折率分散のために波長によって異なる大きさの屈折作用を入射出平面で受けるために、波長によって異なる方向へ屈折し、その後、波長によって異なる入射角で反射平面に入射して反射する。故に、合波光線は波長によって異なる入射角で光学多層膜に入射して分波される。その結果、光学フィルタユニットを分波されて射出する互いに異なる波長の複数の分波光線は入射出平面を互いに異なる間隔で射出する。
【０００９】
するとこれらの複数の分波光線を伝送のために入射する分波光線用光ファイバも互いに不等間隔で光ファイバユニットの中で配設されていなければならない。このように光ファイバユニットの中で互いに不等間隔で分波光線用ファイバを配設するためには、屈折率分散と光が通過する光路長とを基に隣接する分波光線間の不等相互間隔を計算しなければならない。このように計算された隣接する分波光線間の不等相互間隔に等しい間隔に分波光線用光ファイバを配設するためには一般に面倒で困難な調節作業を要する。更に、図４に於いて設けられている２種類の光学多層膜に対して、波長に応じて異なる入射角度で光線が入射する。光学多層膜は指定された入射角度に対して膜構成が決定されている。従って、指定入射角度とは異なる入射角度で光学多層膜に入射する光線は設計の光学特性とは異なる分光光学特性で反射または透過するので、設計の光学特性が得られず、その結果充分に分波できず、分波光線のＳ／Ｎ比が低下する危険がある。この特性上の問題は解決することが困難である。
【００１０】
以上は、合波光線を入射出平面に斜めに入射したときの問題を述べたが、それとは逆に互いに平行な分波光線を入射出平面に斜めに入射するときにも、例えば合波された合波光線が１本になって射出されないために伝送のために合波光線用コリメータレンズから合波光線用光ファイバに入射するときの光結合効率が低下し、伝送する合波光線の光量が低減するという問題が生じる等様々な問題が生じるが、詳細の説明は省略する。
【００１１】
以上をまとめると、光学フィルタモジュールを構成する光学フィルタユニットが合波光線または分波光線を斜めに入射するように構成されていると、光学フィルタモジュールの調節作業の困難性の問題、合波光線が光ファイバに入射するときに光結合効率が低下する問題、分波特性、合波特性が低下する問題等様々な問題が発生する。
【００１２】
本発明は以上列挙した問題の少なくとも一つを解決し、屈折率分散によって生じる光学フィルタモジュールの調節作業の困難性の問題を解決した光学フィルタユニット及びこの光学フィルタユニットから構成される光学フィルタモジュールを提供することにある。
【課題を解決するための手段】
【００１３】
以上の課題を解決する為に、本発明の第１の態様の光学フィルタユニットは、異なる波長帯域の複数の光線が入射または射出する第１平面と、複数の波長帯域を含む一つの光線が入射または射出する第２平面と、前記異なる波長帯域の複数の光線を前記複数の波長帯域を含む一つの光線に合波し、または前記複数の波長帯域を含む一つの光線を異なる波長帯域の複数の光線に分離するフィルタ部とを具え、前記異なる波長帯域の複数の光線は全て、同一の前記第１平面上の異なる位置から前記第１平面にほぼ垂直に入射または射出し、前記複数の波長帯域を含む一つの光線は、前記第２平面から前記第２平面にほぼ垂直に入射または射出している。
【００１４】
本発明の第２の態様の光学フィルタユニットは、第１の態様の光学フィルタユニットであって、前記フィルタ部は、光学フィルタと、前記光学フィルタを一方の面に支持し、他方の面に反射面を有する基板と、前記光学フィルタの前記基板側とは反対側に前記第１平面と前記第２平面とを有する光学部材とを具える。
【００１５】
本発明の第３の態様の光学フィルタユニットは、第１または第２の態様の光学フィルタユニットであって、前記第１平面と前記第２平面とは共通の平面上にある。
【００１６】
本発明の第４の態様の光学フィルタユニットは、第３の態様の光学フィルタユニットであって、前記光学フィルタは、前記基板の一つの面に配置された異なる分光特性の複数の光学フィルタ要素を有する。
【００１７】
本発明の第５の態様の光学フィルタユニットは、第３または第４の態様の光学フィルタユニットであって、前記光学部材は、前記複数の波長帯域を含む一つの光線の方向を変更する第２反射面を更に具える。
【００１８】
本発明の第６の態様の光学フィルタモジュールは、第１〜第４の何れかの態様の光学フィルタユニットと、前記光学フィルタユニットから射出または前記光学フィルタユニットへ入射する前記異なる波長帯域の複数の光線を入射または射出する複数の第１光学系と、前記光学フィルタユニットから射出または前記光学フィルタユニットへ入射する前記複数の波長帯域を含む一つの光線を入射または射出する一つの第２光学系とを具える。
【００１９】
本発明の第７の態様の光学フィルタモジュールは、第６の態様の光学フィルタモジュールであって、前記複数の第１光学系は、複数の第１光ファイバと前記複数の第１光ファイバの端面近傍に配置された複数の第１レンズとからなり、前記一つの第２光学系は、一つの第２光ファイバと前記一つの第２光ファイバの端面近傍に配置された一つの第２レンズとからなり、前記複数の第１レンズは、前記複数の第１光ファイバの端面を射出する異なる波長帯域の複数の光線を入射してそれぞれの光線を平行光束にし、または前記第１平面から射出する前記異なる波長帯域の複数の光線を入射してそれぞれの光線を前記複数の第１光ファイバの端面に集光し、前記一つの第２レンズは、前記一つの第２光ファイバの端面を射出する複数の波長帯域を含む一つの光線を入射して光線を平行光束にし、または前記第２平面から射出する前記複数の波長帯域を含む一つの光線を入射して前記一つの第２光ファイバの端面に集光し、前記複数の第１レンズの光軸は前記第１平面にほぼ垂直に、且つ前記一つの第２レンズの光軸は前記第２平面にほぼ垂直に配置されている。
【００２０】
本発明の第８の態様の光学フィルタモジュールは、第７の態様の光学フィルタモジュールであって、少なくとも前記複数の第１レンズは、同一部材で形成されたレンズアレイからなり、且つ前記複数の第１光ファイバを所定間隔で保持する結合部材を有する。
【００２１】
本発明の第９の態様の光学フィルタモジュールは、第３〜第５の何れかの態様の光学フィルタユニットと、前記光学フィルタユニットから射出または前記光学フィルタユニットへ入射する前記異なる波長帯域の複数の光線を入射または射出する複数の第１光ファイバと、前記光学フィルタユニットから射出または前記光学フィルタユニットへ入射する前記複数の波長帯域を含む一つの光線を入射または射出する一つの第２光ファイバと、前記複数の第１光ファイバ及び前記一つの第２光ファイバの端面近傍に前記異なる波長帯域の複数の光線または前記複数の波長帯域を含む一つの光線を集光するレンズ群を有する。
【００２２】
本発明の第１０の態様の光学フィルタモジュールは、第９の態様の光学フィルタモジュールであって、前記複数の第１光ファイバと、前記一つの第２光ファイバを所定位置で保持する結合部材を有する。
【発明の効果】
【００２３】
本発明の光学フィルタユニットは、合波光線または分波光線をそれぞれの入射面にほぼ垂直に入射させたときに、合波光線を分離した分波光線または分波光線を合波した合波光線がそれぞれの射出面にほぼ垂直に射出するので、入射または射出時に波長によって屈折角が異なる問題が殆ど生じないために、光ファイバユニットを結合して光学フィルタモジュールを作製するときの位置調節作業が容易であり、光学フィルタモジュールを容易に作製することができる。
【００２４】
また、本発明の光学フィルタモジュールは、前記光学フィルタユニットと前記光学フィルタユニットに適合した光ファイバユニットとを具えるので、光学フィルタユニットと光ファイバユニットを位置調節する作業が容易であり、製造が容易である。
【発明を実施するための最良の形態】
【００２５】
以下、図を参照して本発明を実施するための形態を説明する。
［第１実施形態］
図１は本実施形態の光学フィルタモジュールの断面を示す概要図である。
【００２６】
図１にて本実施形態の光学フィルタモジュール１００は、光学フィルタユニット３０と光ファイバユニット４０とから構成される。
【００２７】
本実施形態の光学フィルタモジュール１００を構成する光学フィルタユニット３０は、第１部材１３と第２部材１４と光学多層膜２１、２２とから構成される。
【００２８】
光学多層膜２１、２２は、異なる２種類以上の屈折率の膜を複数層積層した基板を持たない多層膜であって、好ましくは高屈折率膜と低屈折率膜とを交互に複数層積層した交互層あり、薄膜干渉効果によって得られた所望の光学特性を有する。ここで、高屈折率膜は低屈折率膜よりも屈折率が高い膜の意味であり、低屈折率膜は高屈折率膜よりも屈折率が低い膜の意味である。高屈折率膜の物質としては、酸化ニオブ、酸化ネオジム、酸化タンタル、酸化ジルコニウム、酸化チタニウム、酸化ハフニウム、酸化セリウム、酸化亜鉛等から選ばれた一つ以上が使用でき、また低屈折率膜の物質としては、酸化ケイ素、フッ化マグネシウム、フッ化アルミニウム、フッ化カルシウム等から選ばれた一つ以上が使用でき、使用波長に対して透明な物質であれば特に物質に制限は無い。
【００２９】
光学多層膜２１、２２の膜構成は、周知の光学薄膜設計法を用いて所望の分光特性と入射角度θと入射出媒質の屈折率とに対して、構成する各膜の屈折率即ち膜物質と、膜厚と、必要な層数とを設計することによって決定される。尚、該入射出媒質は、本来は接着剤層１７、１８であるが、光学多層膜２１、２２に対する入射角、射出角は本明細書中では便宜的に第１部材１３、第２部材１４中の入射角、射出角とされる。また、所望の分光特性は、所定の合波光線を分波し、所定の分波光線を合波するために、ある所定の波長帯域の光線を反射し、他の所定の波長帯域の光線を透過するように決定される。
【００３０】
光学多層膜は、スパッタ法等の真空中成膜法で成膜されることが好ましい。
【００３１】
光学多層膜は、可溶性の基板面上に光学多層膜を成膜し、その後基板を溶解して作製しても良いし、ガラス基板面上にアルミニウム等の可溶性物質の薄膜を成膜し、その可溶性物質薄膜面上に光学多層膜を成膜し、その後可溶性物質薄膜を溶解して光学多層膜を剥離することによって作製しても良い。
【００３２】
光学多層膜は、例えば以下のようにして作製される。
（１）ガラス基板を用意する。このガラス基板は少なくとも膜形成面が研磨されている。
（２）ガラス基板面上にアルミニウム膜を膜厚５０ｎｍ形成する。
（３）アルミニウム膜が形成されたガラス基板をスパッタ装置にセットし、所定基板温度、圧力条件下で、ターゲットをスパッタすることにより高屈折率膜と低屈折率膜の交互層を成膜する。
（４）所定の層数の成膜が終了したら、ガラス基板を冷却後、スパッタ装置の真空槽内を大気圧に戻し、ガラス基板を取り出す。この後、図１に示すような所望の寸法、形状の光学多層膜２１、２２を得る為に、ダイシングソーにより膜面にガラス基板の中にまで届く深さの切り込みを入れて膜を区分する。
（５）ガラス基板を１０重量％のＮａＯＨ水溶液に浸漬し、アルミニウム膜を溶解し、光学多層膜をガラス基板から剥離する。
【００３３】
このようにして基板を持たない矩形状の光学多層膜２１、２２が作製される。
【００３４】
ここで光学多層膜２１と光学多層膜２２とは、透過する波長帯域も、反射する波長帯域も共に異なるように膜構成されているので、光学多層膜２１、２２を作製するために光学多層膜を２度成膜することが必要である。
【００３５】
第１部材１３と第２部材１４は光学多層膜２１、２２が挟み込まれる部材である。
【００３６】
第１部材１３の材料としては、ＢＫ７等の光学ガラスが好ましい。第１部材１３の材料としては使用光に対して透明であれば光学ガラス以外の合成樹脂等でも良い。第１部材１３は、図１に示すように、側面と底面と上面とを具え、側面が、底面または上面に垂直な多角柱形状であり、側面には互いに所定角度をなす平面部１５と、第２入射出平面２と、第１入射出平面３とを具えている。平面部１５と第１入射出平面３とは角βを、第１入射出平面３と第２入射出平面２とは角αをなす。
【００３７】
第２部材１４の材料は、第１部材１３と同様に選定され、好ましくは第１部材１３と屈折率が同じ材料が、より好ましくは同一の材料が用いられる。第１部材１３と第２部材１４の屈折率が異なる場合、双方の材料の屈折率分散を等しくすることが好ましい。第２部材１４は、平行板形状であり、平面部１６と、平面部１６と所定距離を隔てて平行な反射平面４とを具える。該所定距離は、光学フィルタユニット３０を射出する分波光線１１の所定間隔に基づいて決められる。第１反射平面４は、第２部材１４の内部から第１反射平面４に向かう合波光線の波長帯域を含む入射光線の全ての波長帯域の光線を反射するように構成され、全反射面、金膜等の金属膜反射面、または誘電体多層膜反射面の何れでも良い。
【００３８】
光学多層膜２１、２２は、第１部材１３の平面部１５と、第２部材１４の平面部１６との間で各々接着剤層１７と接着剤層１８とで接着されている。即ち、光学多層膜２１、２２は、平面部１５と平面部１５に対向させた平面部１６との間で、互いに隣接してまたは狭い間隙を空けて第１部材１３の底面と平面部１５との交線方向、即ち図１に於けるｘ軸方向に配列され、光学多層膜２１、２２の上面は接着剤層１７を介して平面部１５に平行に接合され、光学多層膜２１、２２の下面は接着剤層１８を介して平面部１６に平行に接合されている。
【００３９】
ここで、接着剤層１７、１８の材料としてはエポキシ樹脂等の熱硬化性樹脂や紫外線硬化性樹脂等を用いることができる。光学多層膜２１、２２を第１部材１３の平面部１５、第２部材１４の平面部１６に接合することができ、使用光に対して透明であれば特に限定されないが、第１部材１３または第２部材１４の屈折率に近いことが好ましい。また、必要に応じて光学多層膜２１、２２を接着剤を用いないで直接平面部１５、１６にオプティカルコンタクトで接合しても良い。
【００４０】
以上のように光学多層膜２１、２２を第１部材１３の平面部１５と第２部材１４の平面部１６との間で各々の面に接着剤層１７と接着剤層１８とで接着することによって光学フィルタユニット３０が作製される。作製された光学フィルタユニット３０は、図１に示すように、光学多層膜２１、２２の一方の面側に、膜面１０に平行な第１反射面４を有する第２部材１４と、他方の面側に、膜面１０と角βをなす第１入射出平面３、及び第１入射出平面３と角αをなす第２入射出平面２を有する第１部材１３とを具える。
【００４１】
ここで、図１にて、光学フィルタユニット３０の角αと角βは、第２入射出平面２に垂直に光学フィルタユニット３０に入射した光線が第１反射平面４で反射し、光学多層膜２１、２２を透過して第１入射出平面３に垂直に射出するように、またそれとは逆に、第１入射出平面３に垂直に光学フィルタユニット３０に入射した光線が光学多層膜２１、２２を透過して第１反射平面４で反射し、第２入射出平面２に垂直に射出するように決められている。
【００４２】
一般に、隣接する部材間で屈折率が異なるときに、境界を越えて進む光線は屈折する。
【００４３】
本実施形態の光学フィルタモジュール１００を構成する光学フィルタユニット３０では、異なる波長帯域の光線が異なる屈折角で屈折することによって生じる悪影響を無くするために、屈折が生じないように第１部材１３と第２部材１４を等しい屈折率の材料で構成することが好ましく、同一部材で構成することがより好ましい。この場合には、角βは光学多層膜２１、２２への入射角θに等しく、且つ角αはπ−２θに等しく構成される。第１部材１３と第２部材１４の屈折率が異なる場合には、屈折が生じても屈折角を異なる波長帯域間で互いに等しくする為に、第１部材１３と第２部材１４を屈折率分散が互いに等しい材料で構成することが好ましい。
【００４４】
図３に、光学フィルタユニット３０を構成する光学多層膜２１、２２の分光透過特性と分光反射特性と、対象とする分波光線Ｗ１、Ｗ２、Ｗ３のスペクトルとを示す。尚、光学多層膜２１、２２のカットオフ波長の相互の違いを理解し易くするために、分光透過特性と分光反射特性の相対光強度の高さを相互にずらしており、この高さの違いは発明の本質とは無関係である。
【００４５】
図３、図１にて、光学フィルタユニット３０を構成する光学多層膜２１は、入射光線を入射角θで入射し、分光反射特性Ｒ１で示される波長帯域の光線を反射角θで反射して分光透過特性Ｔ１で示される波長帯域の光線を所定の射出角で透過する。尚、前に述べたように本実施形態中で、図１に示すように、前記入射角を第２部材１４中の角度θで定義する。同様に、光学多層膜２２は、入射光線を入射角θで入射し、波長帯域Ｒ２の光線を反射角θで反射して波長帯域Ｔ２の光線を所定の射出角で透過するように構成されている。ここで、反射光が顕著な波長帯域から透過光が顕著な波長帯域に移り変わる波長をカットオフ波長と呼ぶ。光学多層膜２１、２２は、そのカットオフ波長を各々Λ１、Λ２とすると、Λ１＜Λ２となるように構成されている。
【００４６】
また、分波光線Ｗ１、Ｗ２、Ｗ３の主波長を、各々λ１、λ２、λ３とすると、光学多層膜２１、２２は、λ１＜Λ１＜λ２＜Λ２＜λ３の関係が成り立つように構成されている。
【００４７】
更に、光学フィルタユニット３０は以下のように構成されている。主波長λ１の光線Ｗ１と主波長λ２の光線Ｗ２と主波長λ３の光線Ｗ３とを含む合波光線Ｗ１＋Ｗ２＋Ｗ３が第２入射出平面２上の第２所定位置２３から面に垂直に入射すると、合波光線は、第１部材１３と第２部材１４とを経由して第１反射平面４で反射して光学多層膜２１に入射角θで入射し、透過した分波光線Ｗ１を第１部材１３を経由して第１入射出平面３上の第１所定位置２４から面に垂直に射出する。更に光学多層膜２１で反射した残りの光線Ｗ２＋Ｗ３を第１反射平面４で反射して光学多層膜２２に入射角θで入射し、透過した分波光線Ｗ２を第１部材１３を経由して第１入射出平面３上の第１所定位置２５から面に垂直に射出する。更に光学多層膜２２で反射した分波光線Ｗ３は第１反射平面４で反射して第２部材１４、第１部材１３を経由して第１入射出平面３上の第１所定位置２６から面に垂直に射出する。それとは逆に、互いに平行で光線間の間隔が所定間隔２７の分波光線Ｗ１、Ｗ２、Ｗ３が各々第１入射出平面３上の第１所定位置２４、２５、２６から面に垂直に光学フィルタユニット３０に入射すると、これらを合波した合波光線Ｗ１＋Ｗ２＋Ｗ３が第２部材１４と第１部材１３を経由して第２入射出平面２上の第２所定位置２３から面に垂直に射出する。尚、第１所定位置２４、２５、２６と第２所定位置２３とは第１部材１３の底面または上面に平行な一平面上に設けられ、且つ第１所定位置２４、２５、２６は等間隔且つ所定間隔２７に設けられる。また、第１所定位置２４、２５、２６で入射または射出する分波光線と、第２所定位置２３で入射または射出する合波光線とは互いにπ−αの角度をなす。この角π−αは第１部材１３と第２部材１４の屈折率が等しいときには入射角θの２倍になる。
【００４８】
図１にて、本実施形態の光学フィルタモジュール１００を構成する光ファイバユニット４０は、第１コリメータレンズ６と第２コリメータレンズ７と第１光ファイバ８と第２光ファイバ９とこれらコリメータレンズ６、７と光ファイバ８、９とが配設されて固定される結合部材１９とから構成される。
【００４９】
結合部材１９は、各構成要素が以下のように機能するように、相互に位置決めされた各構成要素を配設して固定する。
【００５０】
第２光ファイバ９は、合波光線を伝送して第２コリメータレンズ７に向けて射出し、それとは逆に第２コリメートレンズ７から入射する合波光線を伝送するように構成される。
【００５１】
第２コリメータレンズ７は、第２光ファイバ９を射出する合波光線を入射して平行光束にし、所定方向に射出し、それとは逆に合波光線を所定方向から入射して第２光ファイバ９のコアに向けて集光するように構成される。
【００５２】
第１光ファイバ８は、分波光線を伝送して第１コリメータレンズ６に向けて射出し、それとは逆に第１コリメートレンズ６から入射する分波光線を伝送するように構成される。
【００５３】
第１コリメータレンズ６は、第１光ファイバ８を射出する分波光線を入射して平行光束にし、所定方向に射出し、それとは逆に分波光線を所定方向から入射して第１光ファイバ８のコアに向けて集光するように構成される。
【００５４】
更に、第１コリメータレンズ６及び第１光ファイバ８は、互いに等間隔且つ所定間隔２７で互いに平行な分波光線が入射出できるように結合部材１９上に位置及び方向を調節して固定される。このために、第１コリメータレンズ６の光軸方向及び第１光ファイバ８の延伸方向つまりコア軸方向が共に入射または射出する分波光線方向と一致するように位置及び方向を調節して固定することが好ましい。更にまた、第２コリメータレンズ７及び第２光ファイバ９は、該分波光線と所定角度π−αをなす合波光線が入射出できるように、第１コリメータレンズ６及び第１光ファイバ８から所定距離に位置及び方向を調節して固定される。このために、第２コリメータレンズ７の光軸方向及び第２光ファイバ９の延伸方向つまりコア軸方向が共に入射または射出する合波光線方向と一致し、第１コリメータレンズ６の光軸方向及び第１光ファイバ８の延伸方向と所定角度π−αをなすように位置及び方向を調節して固定されることが好ましい。尚、第１コリメータレンズ６と第２コリメータレンズ７の各々の光軸は同一平面上に配置される。尚、光ファイバユニット４０の第１コリメータレンズ６で入射または射出する分波光線と第２コリメータレンズ７で入射または射出する合波光線とは同一平面上にあるよう構成されている。
【００５５】
以上のようにして本実施形態の光学フィルタモジュール１００を構成する光ファイバユニット４０が作製される。
【００５６】
以上のように本実施形態の光学フィルタモジュール１００を構成する光学フィルタユニット３０と光ファイバユニット４０とが作製された後、図１にて、光学フィルタユニット３０と光ファイバユニット４０とは、以下に説明するようにして相互に位置決めして不図示の結合部材で固定される。
【００５７】
即ち、光ファイバユニット４０の第１コリメータレンズ６から分波光線１１を射出させて、この分波光線１１を光学フィルタユニット３０の第１入射出平面３上の第１所定位置２４〜２６から面に垂直に入射させる。この状態では分波光線１１を合波した合波光線１２が光学フィルタユニット３０の第２入射出平面２上の第２所定位置２３から面に垂直に射出されるように光学フィルタユニット３０は構成されていた。射出する合波光線１２は入射する分波光線１１と非平行であるので、合波光線１２上の位置と第２入射出平面２との距離に応じて合波光線１２と分波光線１１との距離は変化する。そこで、分波光線１１を第１入射出平面３面上の第１所定位置２４〜２６から面に垂直に入射させつつ合波光線１２を第２入射出平面２面上の第２所定位置２３から面に垂直に射出させた状態で、光学フィルタユニット３０と光ファイバユニット４０との相互距離を調節して、合波光線１２が、分波光線１１が射出した第１コリメータレンズ６から所定距離にある第２コリメータレンズ７に正しく入射するようにする。この状態で光ファイバユニット４０と光学フィルタユニット３０とは不図示の結合部材で固定される。尚、本実施形態の光学フィルタモジュール１００に於いては、図１に示すように、分波光線１１と合波光線１２とは共にｘｙ平面上にある。
【００５８】
以上のようにして本実施形態の光学フィルタモジュール１００が作製される。
【００５９】
本実施形態の光学フィルタモジュール１００は、光ファイバユニット４０を伝送してきて射出する分波光線１１を光学フィルタユニット３０に入射して合波し、合波光線１２を射出して光ファイバユニットに入射して伝送する。またそれとは逆に、光学フィルタモジュール１００は、光ファイバユニット４０を伝送してきて射出する合波光線１２を光学フィルタユニット３０に入射して分波し、分波光線１１を射出して光ファイバユニット４０に伝送のために入射する。
【００６０】
本実施形態の光学フィルタモジュール１００に於いては、合波光線１２は光学フィルタユニット３０の第２入射出平面２へ垂直に入射するので、第２入射出平面２で屈折せず、従って、屈折率分散の影響を受けないので、光学多層膜２１、２２に入射する合波光線の入射角度が光波長によって異なる問題が生じない。従って、光学多層膜２１、２２に設計とは異なる入射角で光が入射することによって分波特性が劣化する問題がない。または、光学多層膜２１、２２を波長によって異なる入射角で設計する必要がない。更に、分波光線１１は等間隔で光学フィルタユニット３０を射出するので、第１光ファイバ８を不等間隔に調節しながら結合部材１９上で配設する作業が不要である。また、分波光線１１は第１入射出平面３に垂直に入射するので、第１入射出平面３で屈折せず、従って、屈折率分散の影響を受けないので、光学多層膜２１、２２に入射する分波光線の入射角度が光波長によって異なる問題が生じない。従って、光学多層膜２１、２２に設計とは異なる入射角で入射角で光が入射することによって合波特性が劣化する問題がない。または、光学多層膜２１、２２を波長によって異なる入射角で設計する必要がない。更に、合波光線１２が１本になって光学フィルタユニット３０を射出するので、第２光ファイバ９へ入射する合波光線の拡がりのために結合効率が低下することがない。
【００６１】
また、本実施形態の光学フィルタモジュール１００は、光ファイバユニット４０から射出する異なる波長帯域の複数の光線を光学フィルタユニット３０の同一の第１入射出平面３の異なる複数の所定位置に垂直に入射させ、光ファイバユニット４０と光学フィルタユニット３０との相互距離を調節するだけで第２入射出平面２から射出する合波光線１１を光ファイバユニット４０の所定位置に入射させることができるので、製造に当たって調節作業が容易である。
【００６２】
更に本実施形態の光学フィルタモジュール１００に於いては、基板を持たない光学多層膜２１、２２を第１部材１３と第２部材１４の各平面部に沿わせて接合しているので、膜応力が小さく、第２部材１４と第１部材１３の厚みを薄くしても光学多層膜２１、２２の膜面の撓みを小さくすることができる。そのため射出する合波光線と分波光線の波面の狂いを少なくすることができるので、合波光線と分波光線が入射する光ファイバへの結合効率が高く、また、コンパクト化が容易である。
［第２実施形態］
図２は本実施形態の光学フィルタモジュールの断面を示す概要図である。尚、第１実施形態の光学フィルタモジュールの構成要素に対応する機能の構成要素については同一符号を付し、重複する説明は省略する。
【００６３】
図２にて本実施形態の光学フィルタモジュール１００は、光学フィルタユニット３０と光ファイバユニット４０とから構成される。
【００６４】
本実施形態の光学フィルタモジュール１００を構成する光学フィルタユニット３０は、第１部材１３と第２部材１４と光学多層膜２１、２２とから構成される。
【００６５】
光学多層膜２１、２２は、第１実施形態のものと同じである。
【００６６】
第１部材１３の材料としては、ＢＫ７等の光学ガラスが好ましい。第１部材の材料としては使用光に対して透明であれば光学ガラス以外の合成樹脂等でも良い。第１部材１３は、図２に示すように、側面と底面と上面とを具え、側面が、底面または上面に垂直な多角柱状であり、側面には互いに所定角度をなす平面部１５と、入射出平面１と、第２反射平面５とを具えている。平面部１５と入射出平面１とは角βを、入射出平面１と第２反射平面とは角αをなす。第２反射平面５は、入射出平面１から入射する合波光線の波長帯域を含む入射光線の全ての波長帯域の光を反射するように構成され、全反射面、金膜等の金属膜反射面、または誘電体多層膜反射面の何れでも良い。
【００６７】
第２部材１４の材料は、第１部材１３と同様に選定され、好ましくは第１部材１３と屈折率が同じ材料が、より好ましくは同一の材料が用いられる。第１部材１３と第２部材１４の屈折率が異なる場合、双方の材料の屈折率分散を等しくすることが好ましい。第２部材１４は、平行板形状であり、平面部１６と、平面部１６と所定距離を隔てて平行な反射平面４とを具える。該所定距離は、光学フィルタユニット３０を射出する分波光線１１の所定間隔に基づいて決められる。第１反射平面４は、第２部材１４の内部から第１反射平面４に向かう合波光線の波長帯域を含む入射光線の全ての波長帯域の光を反射するように構成され、全反射面、金膜等の金属膜反射面、または誘電体多層膜反射面の何れでも良い。また、第２部材１４に、第１部材１３の第２反射平面５と二者択一的に、第１反射平面５に垂直な第３反射平面２８を更に設けても良い。
【００６８】
光学多層膜２１、２２は、第１部材１３の平面部１５と、第２部材１４の平面部１６との間で各々接着剤層１７と接着剤層１８とで接着されている。即ち、光学多層膜２１、２２は、平面部１５と平面部１５に対向させた平面部１６との間で、互いに隣接してまたは狭い間隙を空けて第１部材１３の底面と平面部１５との交線方向、即ち図２に於けるｘ軸方向に配列され、光学多層膜２１、２２の上面は接着剤層１７を介して平面部１５に平行に接合され、光学多層膜２１、２２の下面は接着剤層１８を介して平面部１６に平行に接合されている。尚、第２部材１４に第３反射平面２８を設けた場合には、第３反射平面２８は第１部材１３の底面または上面の法線方向に平行に接合される。
【００６９】
ここで、接着剤層１７、１８に関しては第１実施形態のものと同じである。
【００７０】
以上のように光学多層膜２１、２２を第１部材１３の平面部１５と第２部材１４の平面部１６との間で各々の面に接着剤層１７と接着剤層１８とで接着することによって光学フィルタユニット３０が作製される。作製された光学フィルタユニット３０は、図２に示すように、光学多層膜２１、２２の一方の面側に、膜面１０に平行な第１反射面４を有する第２部材１４を、他方の面側に、膜面と角βをなす入射出平面１、及び入射出平面１と角αをなす第２反射平面５を有する第１部材１３とを具える。
【００７１】
ここで、図２にて、光学フィルタユニット３０の角αと角βは、入射出平面１に垂直に光学フィルタユニット３０に入射した光線が第２反射平面５と第１反射平面４とを順に反射し、光学多層膜２１、２２を透過して入射出平面１に垂直に射出するように、またそれとは逆に、入射出平面１に垂直に光学フィルタユニット３０に入射した光線が光学多層膜２１、２２を透過して第１反射平面４と第２反射平面５とを順に反射し、入射出平面１に垂直に射出するように決められている。
【００７２】
以上のように光線が入射または射出するために、第１反射平面４と第２反射平面５とは垂直にされる必要がある。
【００７３】
従って、本実施形態の光学フィルタモジュール１００を構成する光学フィルタユニット３に於いては、第１部材１３の角αと角βとの間でα＋β＝πの関係が成り立つように構成され、光学多層膜２１、２２の設計入射角θに依存して角βが決められる。例えば第１部材１３と第２部材１４の屈折率が等しい場合、β＝θ、第１部材１３の屈折率がｎ１で第２部材１４の屈折率がｎ２の場合、β＝ｓｉｎ−１｛（ｎ２／ｎ１）ｓｉｎθ｝に構成される。
【００７４】
本実施形態の光学フィルタモジュール１００の光学フィルタユニット３０を構成する光学多層膜２１、２２の分光透過特性と分光反射特性と、対象とする分波光線Ｗ１、Ｗ２、Ｗ３のスペクトルは、図３に示され、これらは第１実施形態の光学フィルタユニットが具えるものと同じであるので、繰り返して説明しない。
【００７５】
光学フィルタユニット３０は以下のように構成されている。主波長λ１の光線Ｗ１と主波長λ２の光線Ｗ２と主波長λ３の光線Ｗ３とを含む合波光線Ｗ１＋Ｗ２＋Ｗ３が入射出平面１上の第２所定位置２３から面に垂直に入射すると、合波光線は、第２反射平面５と第１反射平面４とを反射しながら第１部材１３と第２部材１４を経由してして光学多層膜２１に入射角θで入射し、透過した分波光線Ｗ１は第１部材１３を経由して入射出平面１上の第１所定位置２４から面に垂直に射出する。更に光学多層膜２１で反射した残りの光線Ｗ２＋Ｗ３は第１反射平面４で反射して光学多層膜２２に入射角θで入射し、透過した分波光線Ｗ２を第１部材１３を経由して入射出平面１上の第１所定位置２５から面に垂直に射出する。更に光学多層膜２２で反射した分波光線Ｗ３は第１反射平面４で反射して第２部材１４、第１部材１３を経由して入射出平面１上の第１所定位置２６から面に垂直に射出する。それとは逆に、互いに平行で光線間の間隔が所定間隔２７の分波光線Ｗ１、Ｗ２、Ｗ３が各々入射出平面１上の第１所定位置２４、２５、２６から面に垂直に光学フィルタユニット３０に入射すると、これらを合波した合波光線Ｗ１＋Ｗ２＋Ｗ３が第１反射平面４と第２反射平面５とを反射しながら第２部材１４と第１部材１３を経由して入射出平面１上の第２所定位置２３から面に垂直に射出する。尚、第１所定位置２４、２５、２６と第２所定位置２３とは第１部材１３の底面または上面に平行な一直線上に、且つ第１所定位置２４、２５、２６は等間隔且つ第１所定間隔２７に、尚且つ第２所定位置２３と第１所定位置２４の間隔は第２所定間隔２９に決められる。また、第１所定位置２４、２５、２６で入射または射出する分波光線と、第２所定位置２３で入射または射出する合波光線とは同一平面上にあり互いに平行である。
【００７６】
図２にて、本実施形態の光学フィルタモジュール１００を構成する光ファイバユニット４０は、第１コリメータレンズ６と第２コリメータレンズ７と第１光ファイバ８と第２光ファイバ９とこれらコリメータレンズ６、７と光ファイバ８、９とが配設して固定される結合部材１９とから構成される。
【００７７】
これら各構成要素、コリメータレンズ６、７、光ファイバ８、９、及び結合部材１９の各機能は第１実施形態のものと同じであるので、繰り返して説明しない。
【００７８】
本実施形態の光学フィルタモジュール１００を構成する光ファイバユニット４０の結合部材１９は、以下の点を除いて第１実施形態のものと同じであるので、機能が共通である部分の繰り返し説明を省略する。
【００７９】
第１実施形態においては、結合部材１９は、第２コリメータレンズで入射または射出する合波光線が第１コリメータレンズで入射または射出する分波光線と所定角度π−αをなすように第１コリメータレンズと第１光ファイバと第２コリメータレンズと第２光ファイバとの位置及び方向を調節して固定していた。これに対して本実施形態の光学フィルタモジュール１００を構成する光ファイバユニット４０の結合部材１９は、第２コリメータレンズ７で入射または射出する合波光線が第１コリメータレンズ６で入射または射出する分波光線と同一平面上で平行に且つ第２所定間隔２９をなして入射または射出できるように第１コリメータレンズ６と第１光ファイバ８と第２コリメータレンズ７と第２光ファイバ９との位置及び方向を調節して固定している。尚、本実施形態の光学フィルタモジュール１００に於いては、図２に示すように、分波光線１１と合波光線１２とはｘｙ平面上にある。
【００８０】
以上のようにして本実施形態の光学フィルタモジュール１００を構成する光ファイバユニット４０が作製される。
【００８１】
以上のように本実施形態の光学フィルタモジュール１００を構成する光学フィルタユニット３０と光ファイバユニット４０とが作製された後、図２にて、光学フィルタユニット３０と光ファイバユニット４０とは、以下に説明するようにして相互に位置決めして不図示の結合部材で固定される。
【００８２】
即ち、光ファイバユニット４０の第１コリメータレンズ６から分波光線１１を射出させて、この分波光線１１を光学フィルタユニット３０の入射出平面１上の第１所定位置２４〜２６から面に垂直に入射させる。この状態では分波光線１１を合波した合波光線１２が光学フィルタユニット３０の入射出平面１上の第２所定位置２３から面に垂直に射出されるよう光学フィルタユニット３０は構成されていた。第２所定位置２３と第１所定位置２４との間隔は第２所定間隔２９に設けられており、第１コリメータレンズ６と第２コリメータレンズ７とは第２所定間隔２９の分波光線１１と合波光線１２が各々入射または射出するように構成されているので、第２所定位置２３を射出する合波光線１２は第２コリメータレンズ７に正しく入射する。この状態で光ファイバユニット４０と光学フィルタユニット３０とは不図示の結合部材で固定される。
【００８３】
以上のようにして本実施形態の光学フィルタモジュール１００が作製される
本実施形態の光学フィルタモジュール１００は、光ファイバユニット４０を伝送してきて射出する分波光線１１を光学フィルタユニット３０に入射して合波し、合波光線１２を射出して光ファイバユニット３０に入射して伝送する。またそれとは逆に、光学フィルタモジュール１００は、光ファイバユニット４０を伝送してきて射出する合波光線１２を光学フィルタユニット３０に入射して分波し、分波光線１１を射出して光ファイバユニットに伝送のために入射する。
【００８４】
本実施形態の光学フィルタモジュール１００は、第１実施形態の光学フィルタモジュール１００と同様な作用効果を奏する他、光学フィルタユニット３０は、異なる波長帯域の複数の分波光線１１と複数の波長帯域を含む合波光線１２が面に垂直に共通に入射または射出する同一の入射出平面１を具え、この同一の入射出平面１上の一直線上に第１所定位置２４、２５、２６が所定間隔２７で、第２所定位置２３が第１所定位置２４、２５、２６と第２所定間隔２９で設けられており、異なる波長帯域の複数の分波光線１１を各第１所定位置２４、２５、２６から入射出平面１に垂直に入射させると、第２所定位置２３から合波光線１２を入射出平面１に垂直に射出するように構成されている。また、光ファイバユニット４０は、同一平面上で互いに所定間隔２７をなし且つ互いに平行な分波光線１１を第１コリメータレンズ６から射出し、光ファイバユニット４０から射出した分波光線１１と第２所定間隔２９をなし且つ互いに平行で分波光線１１と同一平面上にある合波光線１２を第２コリメータレンズ７に入射するよう構成されている。従って、光ファイバユニット４０の第１コリメータレンズ６から射出する分波光線１１が入射出平面１の第１所定位置２４、２５、２６で入射出平面１に垂直に入射または射出するように光学フィルタユニット３０と光ファイバユニット４０とを入射出平面１方向に相互に移動するだけで、光学フィルタユニット３０と光ファイバユニット４０との相互距離に関係なく光学フィルタユニット３０と光ファイバユニット４０との間で分波光線１１と合波光線１２とを正確にやり取りできるように位置調節をすることができる。以上のように位置調節すれば、逆に、光ファイバユニット４０の所定位置から合波光線１２を射出させて光学フィルタユニット３０の入射出面１の第２所定位置２３に入射させた場合には、複数の分波光線１１が第１所定位置２４、２５、２６から射出し、光ファイバユニット４０の所定位置に正確に入射することは論を待たない。
【００８５】
以上のように本実施形態の光学フィルタモジュール１００によれば、第１実施形態の光学フィルタモジュール１００と同様な作用効果を奏する他、製造に際して、第１実施形態の光学フィルタモジュール１０よりも調節が容易である。
【００８６】
尚、以上の説明では合波光線１２を第１部材１３の第２反射平面５で反射させる例を説明したが、第２部材１４の第３反射平面２８で反射させても良い。
【００８７】
以上第１、第２実施形態の光学フィルタモジュールの説明では、分波光線１１が３本の場合を説明したが、分波光線１１は２本、または４本以上何本であってもよい。
【００８８】
また、以上第１、第２実施形態の光学フィルタモジュールでは光学多層膜を第１部材と第２部材との間に接合した例を説明したが、光学多層膜自体が所定の位置に所定の屈折率の媒質中に配置されさえすれば本構成に限られるものではなく、この他に第３部材や第４部材以上を用いても良い。また光学多層膜２１、２２は基板を持たないものに限らず、リソグラフィー法等を用いた成膜用基板付きのものであっても良い。この場合、第１部材１３または第２部材１４は光学多層膜の成膜用基板となる。
【００８９】
また、入射出平面上の所定位置２３、２４、２５、２６は、点として説明したが、光学多層膜２１、２２の有効寸法に応じて許容範囲があることは言うまでもない。
【図面の簡単な説明】
【００９０】
【図１】第１実施形態の光学フィルタモジュールを示す。
【図２】第２実施形態の光学フィルタモジュールを示す。
【図３】第１、第２実施形態の光学フィルタモジュールの機能を説明する図である。
【図４】従来の光学フィルタモジュールを示す。
【符号の説明】
【００９１】
１    入射出平面
２    第２入射出平面
３    第１入射出平面
４    第１反射平面
５    第２反射平面
６    第１コリメータレンズ
７    第２コリメータレンズ
８    第１光ファイバ
９    第２光ファイバ
１０  膜面
１１  分波光線
１２  合波光線
１３  第１部材
１４  第２部材
１５、１６  平面部
１７、１８  接着剤層
１９  結合部材
２１、２２  光学多層膜
２３  第２所定位置
２４、２５、２６  第１所定位置
２７  所定間隔
２８  第３反射平面
２９  第２所定間隔
３０  光学フィルタユニット
４０  光ファイバユニット
１００  光学フィルタモジュール
【図１】
2005241998.tif 000003
【図２】
2005241998.tif 000004
【図３】
2005241998.tif 000005
【図４】
2005241998.tif 000006